(57)【特許請求の範囲】
【請求項１】
オーディオソースを再生する再生部と、
再生するオーディオソースを変更する変更手段と、
設定されたオン時刻に前記再生部の電源をオンするとともに、設定されたオフ時刻に前記再生部の電源をオフするタイマ動作を実行し、前記オン時刻前のスタンバイ中に前記変更手段によりオーディオソースが変更され、且つ、前記再生部の電源がオンされ、該電源がオンされたまま前記オン時刻が到来した場合には、前記タイマ動作にかかわらず前記オフ時刻が到来しても電源のオフを実行しない制御部と、
を備えたタイマ機能付きオーディオ装置。
【請求項２】
オーディオソースを再生する再生部と、
再生するオーディオソースを変更する変更手段と、
設定されたオン時刻に前記再生部の電源をオンするとともに、設定されたオフ時刻に前記再生部の電源をオフするタイマ動作を実行し、オン時刻が到来して前記タイマ動作により電源がオンされているときに前記変更手段でオーディオソースが変更された場合には、前記タイマ動作にかかわらず前記オフ時刻が到来しても電源のオフを実行しない制御部と、
を備えたタイマ機能付きオーディオ装置。
【請求項３】
オーディオソースを再生する再生部と、
再生するオーディオソースを変更する変更手段と、
利用者によって操作される操作部と、
設定されたオン時刻が到来したとき前記再生部の電源をオンするとともに前記操作部に対して第１の機能を割り当てるタイマ動作を実行し、このタイマ動作によって電源がオンされたのちに前記変更手段によりオーディオソースが変更されたとき、前記操作部に対して第２の機能を割り当てる制御部と、
を備えたタイマ機能付きオーディオ装置。
【請求項４】
設定されたオン時刻にオーディオ再生部の電源をオンし、設定されたオフ時刻にオーディオ再生部の電源をオフするタイマ動作を実行するタイマ機能付きオーディオ装置のタイマ機能制御方法であって、
オン時刻前のスタンバイ中にオーディオソース変更操作がされ、且つ、前記オーディオ再生部の電源がオンされ、該電源がオンされたままオン時刻が到来した場合には、前記タイマ動作にかかわらず、オフ時刻が到来しても電源のオフを実行しないタイマ機能付きオーディオ装置のタイマ機能制御方法。
【請求項５】
設定されたオン時刻にオーディオ再生部の電源をオンし、設定されたオフ時刻にオーディオ再生部の電源をオフするタイマ動作を実行するタイマ機能付きオーディオ装置のタイマ機能制御方法であって、
オン時刻が到来して前記タイマ動作により電源がオンされているときにオーディオソース変更操作がされた場合には、前記タイマ動作にかかわらずオフ時刻が到来しても電源のオフを実行しないタイマ機能付きオーディオ装置のタイマ機能制御方法。
【請求項６】
設定されたオン時刻にオーディオ再生部の電源をオンするとともに操作部に対して第１の機能を割り当てるタイマ動作を実行し、このタイマ動作によって電源がオンされたのちにオーディオソース変更操作がされたとき、前記操作部に対して第２の機能を割り当てる、タイマ機能付きオーディオ装置のタイマ機能制御方法。
【発明の詳細な説明】
【０００１】
【発明の属する技術分野】
この発明は、タイマ付きのオーディオ装置において、タイマ機能の動作中に利用者によってある種の操作がなされたときの対応処理の改善に関する。
【０００２】
【発明が解決しようとする課題】
従来より設定されたオン時刻になると電源をオンするオンタイマ、設定されたオフ時刻になると電源をオフするオフタイマのタイマ機能を備えたオーディオ・ヴィジュアル装置が実用化されている。このようなタイマ機能を備えたオーディオ・ヴィジュアル装置では、タイマをセットして電源をオフすれば、自動的に上記オンタイマ、オフタイマのタイマ機能が働くようになっており、このタイマ機能を解除しようとする場合には所定のタイマ機能解除操作をする必要があった。
【０００３】
たとえば、所定の時間（オン時刻からオフ時刻までの間）に自動的にＣＤを再生させるためにタイマ機能をセットしたが、このタイマ機能をやめて異なるＣＤを自分の操作で聴き続けようとする場合などは、タイマ機能を解除する必要があった。
【０００４】
すなわち、従来のこの種の装置では、タイマ機能がセットされているときにマニュアル操作でＣＤの再生などの操作をした場合でもタイマのオフ時刻が到来すると自動的に電源がオフされてしまうなど利用者の操作意図を反映しない動作をする問題点があった。
【０００５】
この発明は、利用者の操作意図を反映してタイマ機能の解除等を自動的に行うタイマ機能付きのオーディオ装置およびそのタイマ機能制御方法を提供することを目的とする。
【０００６】
【課題を解決するための手段】
この発明のオーディオ装置は、オーディオソースを再生する再生部と、再生するオーディオソースを変更する変更手段と、設定されたオン時刻に前記再生部の電源をオンするとともに、設定されたオフ時刻に前記再生部の電源をオフするタイマ動作を実行し、前記オン時刻前のスタンバイ中に前記変更手段によりオーディオソースが変更され、且つ、前記再生部の電源がオンされ、該電源がオンされたまま前記オン時刻が到来した場合には、前記タイマ動作にかかわらず前記オフ時刻が到来しても電源のオフを実行しない制御部と、を備えたことを特徴とする。
【０００７】
この発明は、設定されたオン時刻にオーディオ再生部の電源をオンし、設定されたオフ時刻にオーディオ再生部の電源をオフするタイマ動作を実行するタイマ機能付きオーディオ装置のタイマ機能制御方法であって、オン時刻前のスタンバイ中にオーディオソース変更操作がされ、且つ、前記オーディオ再生部の電源がオンされ、該電源がオンされたままオン時刻が到来した場合には、前記タイマ動作にかかわらず、オフ時刻が到来しても電源のオフを実行しないことを特徴とする。
【０００８】
この発明のオーディオ装置では、オン時刻に再生部の電源をオンするオンタイマ機能、オフ時刻に再生部の電源をオフするオフタイマ機能を実行するタイマ機能の動作を実行する。そして、このタイマ動作中であってもオン時刻到来前のスタンバイ中にオーディオソースが変更されるという利用者の積極的な操作があり、そのままオン時刻が到来した場合には、利用者はタイマ機能を不要としていると判断してタイマ動作を解除し、オフ時刻が到来しても電源をオフしないようにする。これにより、利用者の操作意図を反映した動作が可能になる。なお、スタンバイ中にオーディオソースが変更されても、オン時刻到来前に電源が再度オフされた場合にはタイマ機能を利用する意図があると判断して設定されているとおりにタイマ機能動作を行うようにすればよい。
【０００９】
この発明のオーディオ装置は、オーディオソースを再生する再生部と、再生するオーディオソースを変更する変更手段と、設定されたオン時刻に前記再生部の電源をオンするとともに、設定されたオフ時刻に前記再生部の電源をオフするタイマ動作を実行し、オン時刻が到来して前記タイマ動作により電源がオンされているときに前記変更手段でオーディオソースが変更された場合には、前記タイマ動作にかかわらず前記オフ時刻が到来しても電源のオフを実行しない制御部と、を備えたことを特徴とする。
【００１０】
この発明は、設定されたオン時刻にオーディオ再生部の電源をオンし、設定されたオフ時刻にオーディオ再生部の電源をオフするタイマ動作を実行するタイマ機能付きオーディオ装置のタイマ機能制御方法であって、オン時刻が到来して前記タイマ動作により電源がオンされているときにオーディオソース変更操作がされた場合には、前記タイマ動作にかかわらずオフ時刻が到来しても電源のオフを実行しないことを特徴とする。
【００１１】
この発明のオーディオ装置では、オン時刻に再生部の電源をオンするオンタイマ機能、オフ時刻に再生部の電源をオフするオフタイマ機能を実行するタイマ機能の動作を実行する。そして、オンタイマが機能して再生部の電源がオンされ、オフ時刻が到来するのを監視しているタイマ動作中であってもオーディオソースが変更されるという利用者の積極的な操作があった場合には、利用者はタイマ機能を不要としていると判断してタイマ動作を解除し、オフ時刻が到来しても電源をオフしないようにする。これにより、利用者の操作意図を反映した動作が可能になる。
【００１２】
この発明のオーディオ装置は、オーディオソースを再生する再生部と、再生するオーディオソースを変更する変更手段と、利用者によって操作される操作部と、設定されたオン時刻が到来したとき前記再生部の電源をオンするとともに前記操作部に対して第１の機能を割り当てるタイマ動作を実行し、このタイマ動作によって電源がオンされたのちに前記変更手段によりオーディオソースが変更されたとき、前記操作部に対して第２の機能を割り当てる制御部と、を備えたことを特徴とする。
【００１３】
この発明は、設定されたオン時刻にオーディオ再生部の電源をオンするとともに操作部に対して第１の機能を割り当てるタイマ動作を実行し、このタイマ動作によって電源がオンされたのちにオーディオソース変更操作がされたとき、前記操作部に対して第２の機能を割り当てることを特徴とする。
【００１４】
この発明のオーディオ装置では、オン時刻に再生部の電源をオンするオンタイマ機能を備えており、電源オン後もタイマ機能が解除されるまではタイマモードで動作する。タイマモードとは、所定の操作部に対して通常モード時とは異なる機能を割り当てるなどの動作をするモードである。たとえば、オーディオソースの再生を制御するボタンスイッチをいわゆるスヌーズボタンに割り当てるなどである。このタイマモードは所定のタイマモード解除操作で解除することもできるが、オーディオソースを変更するという利用者の積極的な操作があった場合には、利用者はタイマ機能を不要としていると判断してタイマモードの動作を解除し、所定の操作部を通常モードの機能にもどす。これにより、利用者の操作意図を反映した動作が可能になる。
【００１５】
なお、この発明のオーディオ装置は、オーディオソースだけでなく、ヴィジュアルソースを再生してもよい。また、この発明において、オーディオソースの変更とは、たとえばＣＤ、ＭＤ、ＤＶＤなどのメディアの交換や選局している放送局の変更などである。放送局は、ＴＶ、ＦＭ、ＡＭ、インターネット放送などどのようなものでもよい。また、オーディオソースの変更以外でもタイマ機能を解除すべきと判断されるような積極的な操作に対してはこの発明のようにタイマ機能を解除するようにしてもよい。
【００１６】
【発明の実施の形態】
図１はこの発明の実施形態であるＣＤレシーバ装置の上面を示す外観図である。上面にはオーディオＣＤがセットされるＣＤトレイ１０、オーディオソースの情報や時刻を表示するＦＬディスプレイ１１のほか多数の操作子が設けられている。操作子の主なものは、装置の動作をスタンバイ／オンに切り換える電源スイッチ１２、ＣＤトレイを開閉するための開閉スイッチ１３、タイマ動作をセット／解除するためのタイマスイッチ１４、ＦＬディスプレイの表示内容を切り換えるためのディスプレイスイッチ１５、オーディオソースを切り換える入力切換スイッチ１６などである。電源スイッチ１２は、ハードウェア的に装置の電源をオン／オフするのではなく、ＣＤの再生やＦＭ放送の受信などのオーディオ再生機能をオン／オフするスイッチであり、このスイッチのオン／オフにかかわらず装置の制御部であるＣＰＵ１（図２参照）は動作している。この説明ではオーディオ再生機能のオンを電源オン、オーディオ再生機能のオフ（スタンバイ）を電源オフという。
【００１７】
このＣＤレシーバ装置は、所定の操作で現在時刻のアジャストおよびタイマのオン時刻、オフ時刻の設定をすることができる。設定されたオン時刻、オフ時刻はＥＥＰＲＯＭ７（図２参照）に記憶される。電源オフ（スタンバイ）時にタイマスイッチ１４をオンすると、タイマモードになり、タイマ機能の動作（タイマ動作）を実行する。タイマモードでは、オン時刻になると電源がオンされ、予め入力切換スイッチ１６で選択されているオーディオソースを再生する。また、オフ時刻になると電源がオフされオーディオソースの再生を停止する。また、タイマモードで所定の操作がされると、この操作に応じてタイマモードを自動的に解除する。この動作については後段で詳述する。
【００１８】
一方、タイマ機能によって電源オンされたとき（タイマモードで動作中）は、入力切換スイッチ１６はスヌーズボタンとして機能する。すなわち、タイマ機能で電源がオンしたのちに利用者がこの入力切換スイッチ１６をオンすると、装置は所定時間（５分間）再生を中断し、この所定時間後に再生を再開する。これにより、タイマ機能を目覚ましに使用している利用者がスヌーズボタンを押すことで５分間だけ余分に眠ることができるようにしている。
【００１９】
図２は、同ＣＤレシーバ装置のブロック図である。装置の機能を制御するＣＰＵ１にはユーザ操作部２、メカ機構部３、信号処理電子回路部４、サーボ制御回路部５、表示器６およびＥＥＰＲＯＭ７が接続されている。ユーザ操作部２は、図１で説明した電源スイッチ１２、開閉スイッチ１３、タイマスイッチ１４、ディスプレイスイッチ１５、入力切換スイッチ１６などの各種スイッチ類を含んでいる。メカ機構部３はＣＤトレイ１０の蓋を開閉する機構を含んでいる。信号処理電子回路部４はＦＭ放送を受信したりオーディオ信号を増幅するなどの電子回路を含んでいる。サーボ制御回路５は、ＣＤの回転とヘッドの駆動を制御する回路である。また、ＣＰＵ１は内蔵時計６を有しており、タイマモード時には、この時計の計時に基づいて電源オン／オフを制御する。ＥＥＰＲＯＭ７は、前記タイマのオン時刻、オフ時刻などを記憶する。
【００２０】
図３、図５のフローチャートおよび図４のタイミングチャートを参照して同ＣＤレシーバ装置の動作について説明する。
図３はタイマモードの動作を示すフローチャートである。タイマモードは電源オフ時にセットされるため、この動作は電源オフ中からスタートする。電源オフの状態で内蔵時計が予めセットされているオン時刻になるまで待機している（Ｓａ６）。
【００２１】
この電源オフの待機中にＣＤトレイを開閉する開閉スイッチ１３の操作によってＣＤトレイ１０の開閉操作が行われたとき（Ｓａ１）には、オープン検出フラグをセットする（Ｓａ２）。ＣＤトレイが開かれると電源オフ中であっても自動的に電源がオンされ、動作がＳａ２からＳａ３、Ｓａ５へと進む。なお、開閉スイッチ１３の操作でなく電源スイッチ１２の操作で電源がオンされた場合にもＳａ５に進むものとする。ただし、このときはオープン検出フラグはセットされない。こののち、オン時刻になるまでに（Ｓａ５）、電源スイッチ１２の操作で電源がオフされた場合にはオープン検出フラグをリセットして（Ｓａ４）、オン時刻になるまで待機する（Ｓａ６）。
【００２２】
電源オフの状態でオン時刻が到来しＳａ６からＳａ７に進むと、レジスタのリセットなどの電源オン処理を実行し（Ｓａ７）、オーディオソースの再生（ここではＣＤの再生）をスタートする（Ｓａ８）。そして、オフ時刻が到来するまで待機する（Ｓａ１２）。
【００２３】
この電源オン中に開閉スイッチ１３の操作によってＣＤトレイ１０の開閉操作が行われたとき（Ｓａ９）には、オープン検出フラグをセットする（Ｓａ１０）。こののち、オフ時刻になるまでに（Ｓａ１２）、電源スイッチ１２の操作で電源がオフされた場合には（Ｓａ１１）、オフタイマを起動させる必要がないためそのままタイマモードの動作を終了する。
【００２４】
一方、電源がオンした状態のままでオン時刻が到来した場合は、Ｓａ５の判断で電源オン時の処理（Ｓａ７，Ｓａ８）をスキップしてＳａ９以下の処理に進む。
【００２５】
そして、電源がオンした状態でオフ時刻が到来した場合には（Ｓａ１２）、オープン検出フラグがセットされているか否かを判断し（Ｓａ１３）、オープン検出フラグがセットされていない場合にはタイマモードの電源オフ処理を実行して（Ｓａ１５）、動作を終了する。一方、オープン検出フラグがセットされている場合には電源をオフしないままタイマモードを解除して（Ｓａ１４）、通常モードの処理動作に移行する。
【００２６】
なお、タイマモードは電源オフ時にセットされ、その後ＣＤトレイがオープンされない状態であれば、オン時刻に電源をオンし、オフ時刻に電源をオフし、これを行ったのち自動的にモードが解除される。ただし、セットされている時刻はクリアされない。
【００２７】
また、この実施形態のＣＤレシーバ装置では、電源オフ中にＣＤトレイが開かれると自動的に電源オンするようになっているが、電源オフのままＣＤトレイを開閉できるようにしてもよく、また、事前に電源がオンされたのちにＣＤトレイの開閉を許可するようにしてもよい。
【００２８】
図４のタイミングチャートを参照して上記のフローチャートで説明したタイマモードの動作について説明する。まず同図（Ａ）の場合について説明する。電源オフ中にタイマモードがセットされ、そのままＣＤトレイの開閉などの積極的状態変更操作が行われない場合にはオン時刻に電源をオンし、オフ時刻に電源をオフしてタイマモードを解除する。
同図（Ｂ）の場合：待機中にＣＤトレイの開閉が行われた場合であっても、その後オン時刻までに電源がオフされた場合には、同図（Ａ）の場合と同様に、オン時刻に電源をオンし、オフ時刻に電源をオフしてタイマモードを解除する。
【００２９】
同図（Ｃ）の場合：待機中にＣＤトレイの開閉が行われて電源オン状態のままオン時刻が到来した場合にはオープン検出フラグがセットしたままになるため、オフ時刻が到来しても、電源をオフせずタイマモードのみ解除して通常モードの動作に移行する。
同図（Ｄ）の場合：通常のタイマモードの動作でオン時刻に電源がオンされても、オン動作中にＣＤトレイの開閉が行われた場合には、オープン検出フラグがセットされ、オフ時刻が到来しても、電源をオフせずタイマモードのみ解除して通常モードの動作に移行する。
【００３０】
図５は、タイマモード時のスヌーズ機能を示すフローチャートである。上記のようにスヌーズ機能は目覚まし時計の機能であるため、このフローチャートではタイマモードを目覚まし機能として説明する。タイマモードは電源オフ時にセットされるため、この動作は電源オフ中からスタートする。電源オフの状態でオン時刻になるまで待機している（Ｓｂ２）。この電源オフの待機中に電源がオンされ（Ｓｂ１）、そのままオン時刻になった場合には、目覚まし機能であるタイマモードを解除して（Ｓｂ８）、通常モードの処理に移行する。
【００３１】
電源オフの状態でオン時刻が到来した場合には（Ｓｂ２：この状態は、電源オフの待機中で一度電源がオンされ、オン時刻までに電源オフされた場合も含む）、レジスタのリセットなどの電源オン処理を実行し（Ｓｂ４）、オーディオソースの再生（ここではＣＤの再生）をスタートする目覚まし動作を実行する（Ｓｂ５）。このとき入力切換スイッチ１６にスヌーズボタンの機能が割り当てられる。こののち、何も操作されなければこのまま目覚ましモードの動作を継続する。目覚ましモードとは、オン時刻が到来してタイマモードで電源がオンし、そのままタイマモードが継続している状態である。目覚ましモード中は入力切換スイッチ１６はスヌーズボタンとして機能している。
【００３２】
この目覚ましモード中にトレイ開閉動作が検出された場合には（Ｓｂ６）、目覚ましモードを解除して（Ｓｂ８）、通常モードの動作に移行する。この目覚ましモードの解除は入力切換スイッチ１６の機能をスヌーズボタンから本来のオーディオ入力の切換機能に戻す処理を含んでいる。また、目覚ましモード中に電源がオフされた場合には（Ｓｂ７）、電源をオフする（このとき目覚ましモードは解除される）。
【００３３】
一方、目覚ましモード中にスヌーズボタン（入力切換スイッチ）がオンされた場合には（Ｓｂ１２）、スヌーズ動作にはいる（Ｓｂ１３）。スヌーズ動作とは、ＣＤの再生を所定時間（この実施形態では５分間）停止する動作である。すなわち、目覚まし動作が起動したのちあと５分眠るときのモードであり、５分間の中断タイマをスタートさせる。このタイマが５分をカウントしたときはＳｂ９、Ｓｂ１０の判断でＣＤ再生の中断を解除し、ＣＤの再生を再開する（Ｓｂ１１）。なお、この再生を中断している間であっても、トレイの開閉が行われたときは（Ｓｂ６）、目覚まし動作中と同様に目覚ましモードを解除して通常処理へ移行し（Ｓｂ８）、電源スイッチがオフされたときは（Ｓｂ７）、目覚ましモードを解除して電源をオフする。
【００３４】
なお、Ｓａ１、Ｓａ９、Ｓｂ６などに示すＣＤトレイの開閉操作の判断は、トレイが開かれたのち閉じられたことでＹＥＳの判断をするようにしてもよく、トレイが開かれたことのみでＹＥＳの判断をするようにしてもよい。
【００３５】
また、この実施形態ではＣＤを交換するためのＣＤトレイの開閉を検出したときタイマモードを解除するようにしているが、タイマモードが不要となったと判断する利用者の操作はＣＤトレイの開閉に限定されず、入力の切り換えなどの操作であってもよい（この場合スヌーズボタンとして入力切換スイッチを用いないようにすることが好ましい）。また、オーディオソースの変更以外の操作でタイマモードを解除するようにしてもよい。
【００３６】
なお、図３、図５に示すタイマモードでの動作中であってもタイマスイッチ１４を操作することによってタイマモードの解除のみの操作も可能である。
【００３７】
また、この実施形態では、オーディオソースを再生するＣＤレシーバ装置について説明したが、この発明はオーディオソースまたはヴィジュアルソースを再生するどのような装置にも適用可能である。
【００３８】
【発明の効果】
以上のようにこの発明によれば、利用者によるオーディオソースの変更操作に対応してタイマモードを解除するようにているため、利用者はタイマモードを解除するという特別の操作をしなくてもそのときセットされていたオーディオソースと異なるオーディオソースを再生しようとする操作をするのみでタイマモードを解除させることができ、操作を簡略化することができるとともに、装置に利用者の意図を反映した動作をさせることが可能になる。
【図面の簡単な説明】
【図１】この発明の実施形態であるＣＤレシーバ装置の外観図
【図２】同ＣＤレシーバ装置の制御部のブロック図
【図３】同ＣＤレシーバ装置のタイマ動作を示すフローチャート
【図４】同ＣＤレシーバ装置のタイマ動作のタイミングチャート
【図５】同ＣＤレシーバ装置のタイマ動作を示すフローチャート
【符号の説明】
１…ＣＰＵ、２…ユーザ操作部、３…メカ機構部、４…信号処理電子回路部、５…サーボ制御回路部、６…内蔵時計、７…ＥＥＰＲＯＭ、
１０…ＣＤトレイ、１１…ＦＬディスプレイ、１２…電源スイッチ、１３…（ＣＤトレイの）開閉スイッチ、１４…タイマスイッチ、１５…ディスプレイスイッチ、１６…入力切換スイッチ
【図１】
0004857512.tif 000002
【図２】
0004857512.tif 000003
【図３】
0004857512.tif 000004
【図４】
0004857512.tif 000005
【図５】
0004857512.tif 000006